(57)【要約】【課題】複数のデータにより提供される画面のデータを簡便に生成する。【解決手段】撮影装置５は、講演者Ａを撮影し、その映像データを作成装置４に供給する。スクリーン１に表示される画像は、予め講演者Ａにより作成されており、その画像データは、作成装置４に記憶されている。作成装置４は、制御装置３の指示により供給されている映像データから、サムネイル画像を生成するとともに、そのサムネイル画像と映像との関連付けの処理を行う。また、その時点でスクリーン１に表示されている画像の画像データも関連付けられる。このような関連付けが行われることで、作成されたデータによる画面においては、サムネイル画像に対応した位置から映像を再生させることができ、その映像に連動させて講演者Ａが予め作成していた画像も表示される。本発明は、講演内容などを記録する記録システムに適用することできる。【選択図】      図２
2004343154.tif 000002
【特許請求の範囲】
【請求項１】
映像データを取得する取得手段と、
表示順序が設定されている複数の画像の画像データを記憶する記憶手段と、
前記記憶手段に記憶されている前記画像データの内の処理されている画像データ以外の画像データの読み出しが指示された場合、その時点で前記取得手段により取得されている前記映像データからサムネイル画像のサムネイル画像データを生成する生成手段と、
前記生成手段により前記サムネイル画像データが生成された場合、前記映像データ、前記画像データ、および、前記サムネイル画像データを関連付ける関連付け手段と
を備えることを特徴とするデータ作成装置。
【請求項２】
前記記憶手段は、前記取得手段により前記映像データの取得が開始される前の時点で、前記画像データを記憶し、
前記画像データは、テキストデータによるインデックスと関連付けられている
ことを特徴とする請求項１に記載のデータ作成装置。
【請求項３】
前記関連付け手段により関連付けが行われたデータは、所定の記録媒体に記録され、配布される
ことを特徴とする請求項１に記載のデータ作成装置。
【請求項４】
所定のデータを作成するデータ作成装置のデータ作成方法において、
映像データを取得する取得ステップと、
表示順序が設定されている複数の画像の画像データの記憶を制御する記憶制御ステップと、
前記記憶制御ステップの処理で記憶が制御された前記画像データの内の処理されている画像データ以外の画像データの読み出しが指示された場合、その時点で前記取得ステップの処理で取得されている前記映像データからサムネイル画像のサムネイル画像データを生成する生成ステップと、
前記生成ステップの処理で前記サムネイル画像データが生成された場合、前記映像データ、前記画像データ、および、前記サムネイル画像データを関連付ける関連付けステップと
を含むことを特徴とするデータ作成方法。
【請求項５】
所定のデータを作成するデータ作成装置を制御するコンピュータのプログラムにおいて、
映像データを取得する取得ステップと、
表示順序が設定されている複数の画像の画像データの記憶を制御する記憶制御ステップと、
前記記憶制御ステップの処理で記憶が制御された前記画像データの内の処理されている画像データ以外の画像データの読み出しが指示された場合、その時点で前記取得ステップの処理で取得されている前記映像データからサムネイル画像のサムネイル画像データを生成する生成ステップと、
前記生成ステップの処理で前記サムネイル画像データが生成された場合、前記映像データ、前記画像データ、および、前記サムネイル画像データを関連付ける関連付けステップと
をコンピュータに実行させることを特徴とするプログラム。
【請求項６】
請求項５に記載のプログラムを記録している
ことを特徴とする記録媒体。
【請求項７】
映像、画像、サムネイル画像、および、インデックスがそれぞれ関連付けられたデータを取得する取得手段と、
前記映像が表示される部分の表示を制御する映像表示制御手段と、
前記映像が撮影されたときに表示されていた画像が表示される部分を制御する画像表示制御手段と、
前記映像から抽出されたサムネイル画像が表示される部分を制御するサムネイル画像表示制御手段と
前記画像が属するインデックスが表示される部分を制御するインデックス表示制御手段と
を備え、
前記サムネイル画像表示制御手段により表示が制御されている部分またはインデックス表示制御手段により表示が制御されている部分に対して所定の操作がされた場合、操作されていない他の部分の表示を制御している前記映像表示制御手段、前記画像表示手段、前記サムネイル画像表示手段、または、前記インデックス表示制御手段は、その操作に対応する表示に、制御しているそれぞれの部分を切り換える
ことを特徴とするデータ再生装置。
【請求項８】
所定のデータを再生するデータ再生装置のデータ再生方法において、
映像、画像、サムネイル画像、および、インデックスがそれぞれ関連付けられたデータを取得する取得ステップと、
前記映像が表示される部分の表示を制御する映像表示制御ステップと、
前記映像が撮影されたときに表示されていた画像が表示される部分を制御する画像表示制御ステップと、
前記映像から抽出されたサムネイル画像が表示される部分を制御するサムネイル画像表示制御ステップと
前記画像が属するインデックスが表示される部分を制御するインデックス表示制御ステップと
を含み、
前記サムネイル画像表示制御ステップにより表示が制御されている部分またはインデックス表示制御ステップにより表示が制御されている部分に対して所定の操作がされた場合、操作されていない他の部分の表示を制御している前記映像表示制御ステップ、前記画像表示ステップ、前記サムネイル画像表示ステップ、または、前記インデックス表示制御ステップは、その操作に対応する表示に、制御しているそれぞれの部分を切り換える
ことを特徴とするデータ再生方法。
【請求項９】
所定のデータを再生するデータ再生装置を制御するコンピュータのプログラムにおいて、
映像、画像、サムネイル画像、および、インデックスがそれぞれ関連付けられたデータを取得する取得ステップと、
前記映像が表示される部分の表示を制御する映像表示制御ステップと、
前記映像が撮影されたときに表示されていた画像が表示される部分を制御する画像表示制御ステップと、
前記映像から抽出されたサムネイル画像が表示される部分を制御するサムネイル画像表示制御ステップと
前記画像が属するインデックスが表示される部分を制御するインデックス表示制御ステップと
をコンピュータに実行させ、
前記サムネイル画像表示制御ステップにより表示が制御されている部分またはインデックス表示制御ステップにより表示が制御されている部分に対して所定の操作がされた場合、操作されていない他の部分の表示を制御している前記映像表示制御ステップ、前記画像表示ステップ、前記サムネイル画像表示ステップ、または、前記インデックス表示制御ステップは、その操作に対応する表示に、制御しているそれぞれの部分を切り換える
ことを特徴とするプログラム。
【請求項１０】
請求項９に記載のプログラムを記録している
ことを特徴とする記録媒体。
【請求項１１】
第１の部分に表示される映像の映像データと、
第２の部分に表示される前記映像が撮影されたときに表示されていた画像の画像データと、
第３の部分に表示される前記映像から抽出されたサムネイル画像のサムネイル画像データと、
第４の部分に表示される前記画像が属するインデックスのインデックスデータと、
前記第１乃至第４の部分から構成される画面を制御するデータと
を少なくとも含むデータを記録していることを特徴とする記録媒体。
【発明の詳細な説明】
【０００１】
【発明の属する技術分野】
本発明はデータ作成装置および方法、データ再生装置および方法、プログラム、並びに記録媒体に関し、特に、動画像や静止画像を連動させて操作する際に用いて好適なデータ作成装置および方法、データ再生装置および方法、プログラム、並びに記録媒体に関する。
【０００２】
【従来の技術】
従来から、講義や講演会などでは、講義者（講演者）が、大きなスクリーンにスライドなどを投写させ、そのスクリーン上に映し出されたテキストや図を参照しながら講義（講演）を行なっていた。スクリーンへのスライドなどの投写は、ＯＨＰ（ＯｖｅｒＨｅａｄ  Ｐｒｏｊｅｃｔｏｒ）などが用いられていたが、近年は、パーソナルコンピュータが用いられるようになってきている。
【０００３】
講演者は、講演でスクリーン上に映し出させるテキストや図を、パーソナルコンピュータで講演の前に予め作成しておき、講演時には、そのパーソナルコンピュータを用いて講演を行うことができるため、使い勝手が良く、ＯＨＰなどが用いられた講演よりも一般的になりつつある。
【０００４】
このような講演を、所定の記録媒体に記録し配布するといったサービスが行われる場合がある。そのような講演内容が記録された記録媒体を配布する場合の、一連の流れを、図１のフローチャートを参照して説明する。ステップＳ１１において、講演がビデオカメラなどで撮影される。撮影されるのは、講演者やスクリーンに写し出されたテキストや図である。
【０００５】
撮影された映像の映像データは、ステップＳ１２において、所定の装置、例えば、コンピュータに取り込まれる。これは、撮像された映像を加工するために行われる。ステップＳ１２において、コンピュータに映像データが取り込まれると、ステップＳ１３において、取り込まれた映像データが、所定のフォーマットに基づいて、エンコードされる。
【０００６】
エンコードされた映像データが用いられ、ステップＳ１４において編集が行われる。このステップＳ１４において行われる編集は、例えば、映像データによる映像とテキストなどを同一の画面に表示するための編集や、講義内の所定の場面にジャンプするための情報の生成などである。
【０００７】
そのような編集が終了されると、データとしては完成したものとなるので、ステップＳ１５において、所定の記録媒体への記録（書き込み）が行われる。そして、その記録媒体に貼付するラベルや、パッケージの作成が、ステップＳ１６の処理として行われる。
【０００８】
このようにして作成された、講演内容が記録された記録媒体が、ステップＳ１７の処理として、例えば、講演に出席していた人達に、郵送などで配布される。
【０００９】
ところで、配布される映像において、撮影が行われた後の時点の加工により（ステップＳ１４における処理により）、所定の時点の映像（場面）にジャンプする機能を持たせることも可能である。そのような所定の映像から所定の場面へジャンプする機能を持たせる場合、人が手作業により行うか、または、所定の条件が満たされたときに、その場面をジャンプ先として登録するといったようにすることで人の手を煩わすことなく行なわれる。
【００１０】
人の手を煩わすことなく行う方法としては、テレビジョン放送において、番組内のシーンチェンジを検出し、そのシーンチェンジの場面をサムネイル画像として生成し、そのサムネイル画像をジャンプ先の場面の情報とするといったようなことが提案されている。（例えば、特許文献１参照。）
【００１１】
【特許文献１】
特開２０００−３０８００３号公報
【００１２】
【発明が解決しようとする課題】
上述したように、講演内容などが所定の記録媒体に記録されて配布された場合、講演が行われたときより後の時点で、編集や加工などの処理を施すといった処理が行なわれ、講演が行われた日よりも後の時点で、その記録媒体が郵送などで配布される。
【００１３】
すなわち、講演直後に、講演に出席していた人に、直接配布するといったことはできないといった課題があった。そのために、郵送費などの費用がかかるといった課題があった。
【００１４】
また、上述したようにして、講義などがビデオカメラなどで撮影され、その映像が所定の記録媒体に記録され、配布されるといったようなことが行われた場合の映像は、講演者と、その講演者の後ろ側に位置するスクリーンが、同一の画面に含まれていることが一般的である。そのような画面では、スクリーン上に映し出されているテキストや図を、映像を見ている視聴者が見づらいといった課題があった。
【００１５】
また、特許文献１で提案されている方法を、上述したような講演会の模様を収録した映像に対して適用した場合、講演を撮影したような映像内には変化が少なく、シーンチェンジを適切に検出できない、仮にシーンチェンジを検出できても、そのシーンチェンジが、必ずしもジャンプ先として適切ではあるとは限らない（例えば、検出されたシーンチェンジが、講演内容の流れが変化するような場面ではなく、話の流れの途中であり、切るには好ましくない場面である）といった課題があった。
【００１６】
また、そのようなジャンプ先は、講演者が意図しない場面である可能性があるといった課題、換言すれば、講演者が意図している場面をジャンプ先とするといったことができないといった課題があった。
【００１７】
本発明はこのような状況に鑑みてなされたものであり、例えば、講演者と、講演時に用いられたテキストや図の、両方を適切に視聴することができ、使い勝手が良い、内容を把握しやすい映像を提供することを目的とする。
【００１８】
【課題を解決するための手段】
本発明のデータ作成装置は、第１に、映像データを取得する取得手段と、表示順序が設定されている複数の画像の画像データを記憶する記憶手段と、記憶手段に記憶されている画像データの内の処理されている画像データ以外の画像データの読み出しが指示された場合、その時点で取得手段により取得されている映像データからサムネイル画像のサムネイル画像データを生成する生成手段と、生成手段によりサムネイル画像データが生成された場合、映像データ、画像データ、および、サムネイル画像データを関連付ける関連付け手段とを備えることを要旨とする。
【００１９】
第２に、前記第１の要旨に加え、記憶手段は、取得手段により映像データの取得が開始される前の時点で、画像データを記憶し、画像データは、テキストデータによるインデックスと関連付けられていることを要旨とする。
【００２０】
第３に、前記第１の要旨に加え、関連付け手段により関連付けが行われたデータは、所定の記録媒体に記録され、配布されることを要旨とする。
【００２１】
本発明のデータ作成方法は、映像データを取得する取得ステップと、表示順序が設定されている複数の画像の画像データの記憶を制御する記憶制御ステップと、記憶制御ステップの処理で記憶が制御された画像データの内の処理されている画像データ以外の画像データの読み出しが指示された場合、その時点で取得ステップの処理で取得されている映像データからサムネイル画像のサムネイル画像データを生成する生成ステップと、生成ステップの処理でサムネイル画像データが生成された場合、映像データ、画像データ、および、サムネイル画像データを関連付ける関連付けステップとを含むことを要旨とする。
【００２２】
本発明のプログラムは、所定のデータを作成するデータ作成装置を制御するコンピュータのプログラムにおいて、映像データを取得する取得ステップと、表示順序が設定されている複数の画像の画像データの記憶を制御する記憶制御ステップと、記憶制御ステップの処理で記憶が制御された画像データの内の処理されている画像データ以外の画像データの読み出しが指示された場合、その時点で取得ステップの処理で取得されている映像データからサムネイル画像のサムネイル画像データを生成する生成ステップと、生成ステップの処理でサムネイル画像データが生成された場合、映像データ、画像データ、および、サムネイル画像データを関連付ける関連付けステップとをコンピュータに実行させることを要旨とする。
【００２３】
本発明の記録媒体は、前記プログラムを記録していることを要旨とする。
【００２４】
本発明のデータ再生装置は、映像、画像、サムネイル画像、および、インデックスがそれぞれ関連付けられたデータを取得する取得手段と、映像が表示される部分の表示を制御する映像表示制御手段と、映像が撮影されたときに表示されていた画像が表示される部分を制御する画像表示制御手段と、映像から抽出されたサムネイル画像が表示される部分を制御するサムネイル画像表示制御手段と画像が属するインデックスが表示される部分を制御するインデックス表示制御手段とを備え、サムネイル画像表示制御手段により表示が制御されている部分またはインデックス表示制御手段により表示が制御されている部分に対して所定の操作がされた場合、操作されていない他の部分の表示を制御している映像表示制御手段、画像表示手段、サムネイル画像表示手段、または、インデックス表示制御手段は、その操作に対応する表示に、制御しているそれぞれの部分を切り換えることを要旨とする。
【００２５】
本発明のデータ再生方法は、映像、画像、サムネイル画像、および、インデックスがそれぞれ関連付けられたデータを取得する取得ステップと、映像が表示される部分の表示を制御する映像表示制御ステップと、映像が撮影されたときに表示されていた画像が表示される部分を制御する画像表示制御ステップと、映像から抽出されたサムネイル画像が表示される部分を制御するサムネイル画像表示制御ステップと画像が属するインデックスが表示される部分を制御するインデックス表示制御ステップとを含み、サムネイル画像表示制御ステップにより表示が制御されている部分またはインデックス表示制御ステップにより表示が制御されている部分に対して所定の操作がされた場合、操作されていない他の部分の表示を制御している映像表示制御ステップ、画像表示ステップ、サムネイル画像表示ステップ、または、インデックス表示制御ステップは、その操作に対応する表示に、制御しているそれぞれの部分を切り換えることを要旨とする。
【００２６】
本発明のプログラムは、映像、画像、サムネイル画像、および、インデックスがそれぞれ関連付けられたデータを取得する取得ステップと、映像が表示される部分の表示を制御する映像表示制御ステップと、映像が撮影されたときに表示されていた画像が表示される部分を制御する画像表示制御ステップと、映像から抽出されたサムネイル画像が表示される部分を制御するサムネイル画像表示制御ステップと画像が属するインデックスが表示される部分を制御するインデックス表示制御ステップとをコンピュータに実行させ、サムネイル画像表示制御ステップにより表示が制御されている部分またはインデックス表示制御ステップにより表示が制御されている部分に対して所定の操作がされた場合、操作されていない他の部分の表示を制御している映像表示制御ステップ、画像表示ステップ、サムネイル画像表示ステップ、または、インデックス表示制御ステップは、その操作に対応する表示に、制御しているそれぞれの部分を切り換えることを要旨とする。
【００２７】
本発明の記録媒体は、前記プログラムを記録していることを要旨とする。
【００２８】
本発明の記録媒体は、第１の部分に表示される映像の映像データと、第２の部分に表示される映像が撮影されたときに表示されていた画像の画像データと、第３の部分に表示される映像から抽出されたサムネイル画像のサムネイル画像データと、第４の部分に表示される画像が属するインデックスのインデックスデータと、第１乃至第４の部分から構成される画面を制御するデータとを少なくとも含むデータを記録していることを要旨とする。
【００２９】
本発明のデータ生成装置および方法、並びにプログラムにおいては、取得される映像データから、サムネイル画像が抽出され、そのサムネイル画像のサムネイル画像データと映像データが関連付けられる。そして、サムネイル画像が生成されるのは、映像データが取得されているときに参照されている画像の切り換えが指示されたときである。
【００３０】
本発明のデータ再生装置および方法、並びにプログラムにおいては、映像データ、画像データ、サムネイル画像データ、およびインデックスデータが関連付けられたデータが再生される。サムネイル画像またはインデックスに対して操作が行われた場合、操作が行われていない部分の表示が、連動して切り換えられる。
【００３１】
本発明の記録媒体においては、映像データ、画像データ、サムネイル画像データ、インデックスデータ、および、それらのデータを所定の画面に、所定の構成で表示されるように制御するためのデータが記録されている。
【００３２】
【発明の実施の形態】
以下に本発明の実施の形態を説明するが、請求項に記載の発明特定事項と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中に記載されているが、発明特定事項に対応するものとして、ここには記載されていない具体例があったとしても、そのことは、その具体例が、その発明特定事項に対応するものではないことを意味するものではない。逆に、具体例が発明特定事項に対応するものとしてここに記載されていたとしても、そのことは、その具体例が、その発明特定事項以外の発明特定事項には対応しないものであることを意味するものではない。
【００３３】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願、補正、国内優先などにより追加される発明の存在を否定するものではない。
【００３４】
本発明を適用したデータ作成装置、例えば、本実施の形態として図２に示した作成装置４の基本構成は、映像データを取得する取得手段（例えば、図１４の映像入力部１７２）と、表示順序が設定されている複数の画像の画像データを記憶する記憶手段（例えば、図１４の記憶部４８）と、記憶手段に記憶されている画像データの内の処理されている画像データ以外の画像データの読み出しが指示された場合、その時点で取得手段により取得されている映像データからサムネイル画像のサムネイル画像データを生成する生成手段（例えば、図１４のサムネイル画像生成部１７３）と、生成手段によりサムネイル画像データが生成された場合、映像データ、画像データ、および、サムネイル画像データを関連付ける関連付け手段（例えば、図１４の関連付け部１７６）とを少なくとも含む。
【００３５】
本発明を適用したデータ再生装置、例えば、本実施の形態として図７に示したパーソナルコンピュータの基本構成は、映像、画像、サムネイル画像、および、インデックスがそれぞれ関連付けられたデータ（例えば、図７の記録媒体９１に記録されている）を取得する取得手段（例えば、図７のドライブ８０）と、映像が表示される部分の表示を制御する映像表示制御手段（例えば、図８の動画像表示部１２１の表示を制御する図７のＣＰＵ７１）と、映像が撮影されたときに表示されていた画像が表示される部分を制御する画像表示制御手段（例えば、図８の資料画像表示部１２３の表示を制御する図７のＣＰＵ７１）と、映像から抽出されたサムネイル画像が表示される部分を制御するサムネイル画像表示制御手段と画像が属するインデックスが表示される部分を制御するインデックス表示制御手段（例えば、図８のサムネイル画像表示部１２４の表示を制御する図７のＣＰＵ７１）とを備え、サムネイル画像表示制御手段により表示が制御されている部分またはインデックス表示制御手段により表示が制御されている部分に対して所定の操作がされた場合、操作されていない他の部分の表示を制御している映像表示制御手段、画像表示手段、サムネイル画像表示手段、または、インデックス表示制御手段は、その操作に対応する表示に、制御しているそれぞれの部分を切り換えることを要旨とする。
【００３６】
以下に、本発明の実施の形態について図面を参照して説明する。図２は、本発明を適用したシステムの一実施の形態の構成を示す図である。ここでは、所定の会場で、講演者が講演を行う場合を例に挙げて説明する。講演者Ａは、壇上にて、スクリーン１に写し出されているテキストや図（以下、適宜、画像と称する）を参照して講演を行う。そして、その講演者Ａの講演を図示していない受講者（出席者）が聴取する。
【００３７】
スクリーン１には、プロジェクタ２から投写される画像が映し出される。プロジェクタ２に対して画像データを供給するのは、ここでは制御装置３である。制御装置３は、パーソナルコンピュータなどで構成することが可能である。すなわちこの場合、制御装置３は、プロジェクタ２に対して画像データを供給するとともに、講演者Ａの指示に従って、供給する画像データを切り換えるなどの操作を行える装置であればよい。
【００３８】
また、制御装置３は、直接スクリーン１と接続されていても良い。スクリーン１は、プロジェクタ２からの映写されることにより図などを映し出すのではなく、ディスプレイなどで構成され、直接的に図などを映し出す（表示する）ようにしても良い。
【００３９】
制御装置３は、作成装置４にも接続されている。作成装置４は、後述するように、動画像や静止画像などから構成される画面を、所定の表示装置（不図示）に表示させるためのデータを作成するための装置である。
【００４０】
作成装置４には、撮影装置５も接続されている。撮影装置５は、講演者Ａのみ、または、講演者Ａとスクリーン１に映し出された画像を撮影するために設けられている。撮影装置５は、ビデオカメラなどで構成される。
【００４１】
図３は、制御装置３の構成例を示す図である。制御部１１は、制御装置３内の各部を制御する。制御部１１は、操作部１２と接続されている。操作部１２は、ユーザからの指示が入力される部分であり、その指示に従って、制御部１１は制御を行う。制御部１１は、記憶部１３にも接続されている。記憶部１３には、ユーザが予め作成したテキストや図に関するデータが記憶されており、操作部１２からの指示に従って、必要に応じ、その画像データが制御部１１により読み出される。
【００４２】
制御部１１は、記憶部１３から読み出したデータを、接続されている出力部１４に対して供給する。出力部１４は、プロジェクタ２（図２）や作成装置４（図２）に接続されている。
【００４３】
出力部１４とプロジェクタ２との接続、または、出力部１４と作成装置４との接続は、有線で行われるようにしても良いし、無線で行われるようにしても良い。有線または無線のどちらで接続が行われても良いが、その形態に合ったデータの授受が行える（その形態に合った処理が行える）ように、出力部１４は構成されている。
【００４４】
記憶部１３は、制御装置３に対して着脱可能なものでも、内蔵されているものでも良い。着脱可能なもの、例えば、フレキシブルディスクやＣＤ−Ｒ（Ｃｏｍｐａｃｔ  Ｄｉｓｃ−Ｒｅｃｏｒｄａｂｌｅ）などの記録媒体である場合、それらの記録媒体からデータを読み出せるドライブなどを、記憶部１３は含む構成とされる。
【００４５】
また、記憶部１３が、制御装置３に対して内蔵されているような場合、講演者Ａが作成した画像データを記憶できる構成とされている。例えば、記録部１３は、所定の記録媒体からデータを読み出すドライブと、読み出されたデータを記憶するＨＤＤ（Ｈａｒｄ  Ｄｉｓｋ  Ｄｒｉｖｅ）などから構成される。または、インターネットなどのネットワークに接続できる機能を有し、そのネットワークを介して供給されたデータを記憶できるようにしても良い。
【００４６】
もちろん、それらの組み合わせでも良い。
【００４７】
図４は、操作部１２に備えられているボタンについて説明するための図である。ここでは、図４に示すように、操作部１２には、前ボタン２１、キャプチャーボタン２２、および、次ボタン２３の３つのボタンが備えられているとして説明する。前ボタン２１と次ボタン２３は、講演者Ａが作成した画像のうち、スクリーン１（図２）に映し出されている画像を切り換えるときに操作されるボタンである。
【００４８】
講演者Ａが講演しているときの所定の時点に注目したときに、スクリーン１上に表示されている画像より前の時点でスクリーン１上に表示されていた画像を再度表示させたいときに操作されるのが、前ボタン２１であり、後の時点で表示させたい（次の画像に表示を切り換えたい）ときに操作されるのが、次ボタン２３である。
【００４９】
キャプチャーボタン２２は、スクリーン１に表示されている画像を、作成装置４（図２）に取り込ませたいとき（サムネイル画像を生成させたいとき）に操作されるボタンである。
【００５０】
ここでは、このような３つのボタンが操作部１２には備えられているとして説明するが、後述する処理を実行させるには、次ボタン２３のみが備えられている構成とすることも可能である。さらに換言すると、操作部１２には、作成装置４に対してサムネイル画像を生成させたいタイミングを指示できるスイッチが備えられている構成とされていればよい。
【００５１】
図３に示したような各部分は、それぞれ、通常、パーソナルコンピュータに含まれているため、制御装置３は、パーソナルコンピュータなどで構成することも可能である。
【００５２】
制御装置３をパーソナルコンピュータで構成した場合、操作部１２は、キーボードまたはマウスなどで構成される。そして、前ボタン２１と次ボタン２３は、例えば、カーソルなどを移動させる際に操作されるキーボード上の矢印キーなどと称されるキーなどで構成することが可能であり、キャプチャーボタン２２は、確定などの際に操作されるキーボード上のリターンキーなどと称されるキー（いずれも不図示）などで構成することが可能である。
【００５３】
図５は、作成装置４の構成例を示す図である。図５に示した構成例は、作成装置４をパーソナルコンピュータで構成した場合である。作成装置４のＣＰＵ（Ｃｅｎｔｒａｌ  Ｐｒｏｃｅｓｓｉｎｇ  Ｕｎｉｔ）４１は、ＲＯＭ（Ｒｅａｄ  Ｏｎｌｙ  Ｍｅｍｏｒｙ）４２に記憶されているプログラムに従って各種の処理を実行する。ＲＡＭ（Ｒａｎｄｏｍ  Ａｃｃｅｓｓ  Ｍｅｍｏｒｙ）４３には、ＣＰＵ４１が各種の処理を実行する上において必要なデータやプログラムなどが適宜記憶される。入出力インタフェース４５は、キーボードやマウスから構成される入力部４６が接続され、入力部４６に入力された信号をＣＰＵ４１に出力する。入力部４６には、この場合、撮影装置５も接続される。
【００５４】
入出力インタフェース４５には、ディスプレイやスピーカなどから構成される出力部４７も接続されている。入出力インタフェース４５には、ハードディスクなどから構成される記憶部４８、および、インターネットなどのネットワークを介して他の装置（例えば、制御装置３）とデータの授受を行う通信部４９も接続されている。ドライブ５０は、磁気ディスク６１、光ディスク６２、光磁気ディスク６３、半導体メモリ６４などの記録媒体からデータを読み出したり、データを書き込んだりするときに用いられる。
【００５５】
上述したように、制御装置３は、作成装置４と同じく、パーソナルコンピュータで構成すること、すなわち、図５に示したような構成とすることも可能である。そこで、制御装置３と作成装置４を図２に示したように別体とするのではなく、一体型、すなわち、１台のパーソナルコンピュータに、制御装置３と作成装置４の両方の機能を持たせるように構成しても良い。
【００５６】
そのように構成した場合、その一体型に構成された制御装置３（作成装置４）に撮影装置５が接続される。
【００５７】
ここでは、図２に示したように、制御装置３と作成装置４は、それぞれ異なる装置であるとして説明する。
【００５８】
このような構成を有する装置から構成される図２に示したようなシステムが動作する状況としては、この場合、講演者Ａが講演を行うときである。そのような講演を含む、一連の流れについて、図６のフローチャートを参照して説明する。講演者Ａは、講演を行う前に、講演内容に関しての準備を行うのが一般的である。また、本実施の形態における図２に示したようなシステムを用いるためには、事前の準備が必要である。
【００５９】
そこで、ステップＳ３１において、講演者Ａは、講演を行う前の時点で、スクリーン１に表示させる画像（テキストや図）のデータを作成する。そして、作成されたデータを用いられて講演が行われる。講演が行われているときには、ステップＳ３２の処理として、その講演が撮影される。そして、その撮影された講演が、所定の記録媒体に記録される。このステップ３２における処理を実行するのが、図２に示したシステムである。
【００６０】
そして、ステップＳ３３の処理として、講演内容が記録された記録媒体が、例えば、講演に出席していた出席者に配布される。そして、出席者が、例えば、自宅などのパーソナルコンピュータで、その配布された記録媒体に記録されたデータを、ステップＳ３４の処理として再生する。
【００６１】
大まかには、このような一連の流れの処理が行われる。換言すれば、一連の処理の流れとしては、講演前、講演中、講演後の３つの時間的なステップに分けられる。
【００６２】
ここで、説明の順としては逆の順番となってしまうが、講演後の処理であるステップＳ３４における処理として、出席者に配布された記録媒体に記録されているデータが再生されたときに、ディスプレイ上に表示される画面について説明する。
【００６３】
出席者は、自宅などに、記録媒体に記録されたデータを再生するための装置として、パーソナルコンピュータなどを所持していることを前提とする。そのパーソナルコンピュータは、図７に示したような構成を有している。基本的な構成は、図５に示した作成装置４（作成装置４としてパーソナルコンピュータを用いた場合）と同様の構成であるので、ここでは、その説明を省略する。
【００６４】
ただし、ドライブ８０は、配布される記録媒体９１からデータを読み出せる構成とされている。
【００６５】
記録媒体９１は、ドライブ８０にセットされる。そして、ユーザが、入力部７６を操作することにより、記録媒体９１の再生を指示した場合、ドライブ８０は、記録媒体９１からデータを読み出し、一旦、ＲＡＭ７３などに出力する。ＣＰＵ７１は、読み出されたデータを処理し、出力部７７としてのディスプレイ１０１（図８）に出力する。
【００６６】
出力部７７には、スピーカ（不図示）などの音を出力する装置も接続され、記録媒体９１から読み出されたデータが処理されることにより、音声なども、そのスピーカから出力され、ユーザ（出席者）に提供される。
【００６７】
図８は、ディスプレイ１０１上に表示される画面の構成を説明するための図である。図８に示した画面は、４つの表示部から構成されている。すなわち、動画像を表示するための動画像表示部１２１、テキストベースのインデックスを表示するためのインデックス表示部１２２、資料画像を表示するための資料画像表示部１２３、および、サムネイル画像を表示するためのサムネイル画像表示部１２４から構成されている。また、資料画像表示部１２３とサムネイル画像表示部１２４の間に、スクロールバー１２５が設けられている。
【００６８】
動画像表示部１２１には、講演時に撮影された映像が表示される。そして、動画像表示部１２１に表示される映像から抽出された画像が、サムネイル画像表示部１２４にサムネイル画像として表示される。サムネイル画像表示部１２４には、複数のサムネイル画像が表示されるが、それらのサムネイル画像は、サムネイル画像に対応する部分から動画像表示部１２１に表示される映像（動画像）の再生を開始させるために設けられている。
【００６９】
動画像表示部１２１に表示される動画像と、サムネイル画像表示部１２４に表示されるサムネイル画像は、それぞれ、講演時に取得されるものであり、図２に示したシステムにより取得（生成）されるものである。具体的には、撮影装置５（図２）により撮影された動画像が動画像表示部１２１に表示され、その撮影装置５により撮影された動画像のデータの供給を受けた作成装置４が生成したサムネイル画像が、サムネイル画像表示部１２４に表示される。
【００７０】
資料画像表示部１２３には、資料画像が表示されるわけだが、その画像は、静止画でも良いし、動画像でも良い。また、静止画像であっても、所定のタイミングで順次切り替わることにより、動画像と表現できるが、ここでは、動画像は、ユーザが閲覧しているときに一連の動きを画像内全体、または一部分に把握でき、動画像であると認識するようなものを動画像とし、その他のものは静止画像とする。
【００７１】
また、それらの動画像または静止画像には、テキストだけで構成されるものなども含む。
【００７２】
インデックス表示部１２２は、テキスト形式で表示されたインデックス（項目）であり、表示されている項目を選択することにより、動画像表示部１２１に表示されている動画像の、選択された項目に対応する部分から再生が開始されるようになっている。
【００７３】
インデックス表示部１２２に表示されるインデックス（項目）と、資料画像表示部１２３に表示される資料画像は、講演時より前の時点で、講演者Ａにより作成される。すなわち、図６のステップＳ３１の処理として作成されたデータに基づくインデックスや画像が、それぞれ、インデックス表示部１２２と資料画像表示部１２３に表示される。
【００７４】
スクロールバー１２５は、動画像表示部１２１に表示されている動画像を、所望の位置から再生できるようにするために設けられており、例えば、入力部７６としてのマウス（不図示）でクリックしながら移動させることができるように構成されている。
【００７５】
このように、インデックス表示部１２２、サムネイル画像表示部１２４、または、スクロールバー１２５のうちのいずれかの１つが操作されると、その操作に対応した部分へと動画像表示部１２１に表示されている動画像の再生が切り換えられる。
【００７６】
資料画像表示部１２３に表示されている画像も動画像表示部１２１の再生が開始される部分に対応した画像に切り換えられる。また、インデックス表示部１２２、サムネイル画像表示部１２４、または、スクロールバー１２５のうちのいずれか１つが操作されると、操作されていない他の部分も、その操作に対応した項目、画像、位置にそれぞれ切り換えられる。
【００７７】
すなわち、図８に示した画面のうち、インデックス表示部１２２、サムネイル画像表示部１２４、または、スクロールバー１２５のうちのいずれか１つが操作されると、操作されていない他の部分が、その操作に対応した処理が施され、対応した場面、インデックス、画像、サムネイル画像にそれぞれ切り換えられ、スクロールバー１２５のバーが対応する位置に移動される。
【００７８】
このように、動画像の所望の場面からの再生や、所望の資料画像の閲覧を、インデックス表示部１２２、サムネイル画像表示部１２４、または、スクロールバー１２５といった複数のユーザインタフェースにより指示できるようにすることで、所望の場面や所望の画像の検索を容易に行うことができ、利便性を高めることができる。
【００７９】
出席者が所有するパーソナルコンピュータで表示される画面について、図９を参照してさらに説明を加える。図９に示した画面例においては、具体的に表示される画像などをイメージ的に示した。動画像表示部１２１には、講演時に撮影された動画像が表示されるが、図９に示した例では、講演者Ａとスクリーン１（スクリーン１に表示されている資料１−１としてのグラフ）が表示されている状態を示している。
【００８０】
なお、図９に示した例および以下の説明では、講演者Ａとスクリーン１が同一の画面で撮影されているとして説明するが、講演者Ａのみが撮影され、動画像表示部１２１には、講演者Ａのみが表示されるようにしても良い。
【００８１】
このスクリーン１に表示されているグラフは、この場合、“資料１−１”と設定されており、その“資料１−１”に対応するグラフ（画像）は、資料画像表示部１２３にも表示される。さらに、動画像表示部１２１に表示されている映像、すなわち、この場合、講演者Ａと資料１−１がスクリーン１上に表示されている状態で講演が行われているときの映像が、撮影されていたときに生成されたサムネイル画像が、サムネイル画像表示部１２４の図中一番左側に表示されている。
【００８２】
ここでは、サムネイル画像表示部１２４に表示されるサムネイル画像のうち、一番左側に表示されるサムネイル画像は、動画像表示部１２１に表示されている場面に対応したサムネイル画像であるとするが、対応するサムネイル画像は、サムネイル表示部１２４の一番左側以外の、例えば、中央部分などに表示されるようにしても良い。
【００８３】
“資料１−１”と設定されたグラフは、この場合、インデックス１に属すると設定されているため、インデックス表示部１２２に表示されているインデックス（項目）のうち、“インデックス１”という項目上に、他の項目上には表示されていない矢印が表示される。なお、ここでは、矢印が表示されるとして説明するが、この場合、“インデックス１”という文字だけ、他の項目と異なる色で表示されるなどの表示が行われることにより、他の項目と区別が付くような表示が行われるようにしても良い。
【００８４】
スクロールバー１２５のバーは、動画像表示部１２１に表示されている場面が、撮影された時点を示す位置に表示される。
【００８５】
このような画面がディスプレイ１０１上に表示されている状態で、この画面を閲覧しているユーザが、サムネイル画像表示部１２４に表示されているサムネイル画像の内、一番右側に位置する“資料２−１”が表示されているサムネイル画像に対して、マウスのクリック操作など所定の操作を実行した場合、図１０に示すような画面に、各表示部の表示が切り換えられる。なお、ここでは、“資料２−１”は、“インデックス２”に属すると設定されているとする。
【００８６】
“資料２−１”に対応するサムネイル画像に対して操作が行われたことにより、まず、サムネイル画像表示部１２４に表示されているサムネイル画像が、全体的に左側に移動し、結果として、“資料２−１”が表示されているサムネイル画像（操作対象とされたサムネイル画像）が一番左側に位置するように処理が施される。
【００８７】
また、資料画像表示部１２３に表示されている資料画像が、“資料１−１”のグラフから、“資料２−１”のグラフに切り換えられる。さらに、動画像表示部１２１に表示される動画像が、“資料２−１”の説明から再生されるような場面（資料２−１に対応した画面）に切り換えられ、その場面からの再生が開始される。そして、スクロールバー１２５のバーが、対応する位置に移動される。
【００８８】
インデックス表示部１２２は、“資料２−１”に対応するサムネイル画像が、“インデックス２”に属すると設定されているため、“資料２−１”に対応するサムネイル画像が操作されることにより、インデックス表示部１２２に表示される矢印が、“インデックス１”から“インデックス２”の位置に移動される。
【００８９】
このように、サムネイル画像表示部１２４に表示されているサムネイル画像が操作されることにより、各部分も、対応した画像などに切り換えられる。ここでは、サムネイル画像表示部１２４に表示されているサムネイル画像が操作されたとして説明をしたが、例えば、インデックス表示部１２２に表示されているインデックスのうち、“インデックス２”が操作された場合も、上述したような処理が実行され、図１０に示したような画面になる。
【００９０】
また、スクロールバー１２５に表示されているバーが操作された場合にも、その操作された移動先が、“資料２−１”に対応する位置であれば、図１０に示したような画面に切り換えられる。
【００９１】
なお、図示はしないが、スクロールバー１２５のバーが操作されるとき、換言すれば、バーが図中、左または右に移動されているとき、そのバーの位置に応じて、動画像表示部１２１の動画は、連続的に表示が切り換えられる。すなわち、バーが移動されている間も、その移動に対応する場面が、動画像表示部１２１には逐次表示される。
【００９２】
さらに換言するならば、バーに対する操作が開始された時点の場面のままで、バーに対する操作が終了した時点で位置する部分に対応する場面に切り替わるというのではなく、バーに対する操作が開始された時点から、バーに対する操作が終了された時点まで、逐次、動画像表示部１２１の部面（画像）は切り換えられる。
【００９３】
このようにすることで、ユーザは、スクロールバー１２５のバーを操作することにより、そして、動画像表示部１２１に表示される画像を参照しながら、所望の画面を探し出す（検索する）ことが可能となる。
【００９４】
また、図９または図１０に示したような画面構成とすることで、動画像表示部１２１に表示されているスクリーン１に表示されている資料画像が見づらくても、資料画像表示部１２３に、同一の資料画像が表示されているため、ユーザは、資料画像が見づらいといったようなことなく、講演内容を視聴することができる。
【００９５】
また、上述したように、画面内の１つの部分に対して行われた処理に対応した処理が、各部分に反映されることにより、ユーザは、所望の場面、画像、内容などを、簡便に、また、即座に検索することが可能となる。
【００９６】
図９や図１０に示した画面例では、動画像表示部１２１に表示される映像から抽出された、サムネイル画像がサムネイル画像表示部１０１に表示されるとしたが、サムネイル画像表示部１０１には、資料画像表示部１２３に表示される資料画像のサムネイル画像が表示されるようにしても良い。また、サムネイル画像表示部１２４には、他の表示部に表示される映像や画像と同一のものでなくても良い。
【００９７】
各表示部は、例えば、カーソルが所定の表示部に位置する状態で、マウスがダブルクリックなどの所定の操作が行われた場合、拡大されて表示されるようにしても良い。そのような拡大機能を持たせることで、例えば、資料画像表示部１２３に表示された資料画像が、細かい文字で見づらいようなときでも、拡大されることにより見やすくなるといった利点がある。このような利点により、使い勝手が向上し、講演の内容を理解しやすくなる。
【００９８】
以下の説明においては、記録媒体９１（図７）には、図８に示した画面構成による画面が、ユーザに提供されるようなデータが記録されているとして説明するが、図８に示した画面構成は、一例であり、限定を示すものではない。例えば、他の画面構成の一例として、図１１に示すような画面構成でも良い。
【００９９】
図１１に示した画面構成は、図８に示した画面構成に、参考資料表示部１３１が追加された構成とされている。この参考資料表示部１３１には、資料画像表示部１２３に表示されている資料内で、難しい単語や関連する情報が掲示されているＷｅｂのアドレスなどが表示される。そして、表示されている単語上にカーソルが位置した場合、その単語の説明文が表示されたり、表示されているＷｅｂアドレスがクリックされると、そのアドレスのホームページが表示されたりする。
【０１００】
この参考資料表示部１３１に表示される単語などのデータは、講演者Ａが、資料画像表示部１２３に表示される画像などのデータを作成するときに作成する。すなわち、ステップＳ３１（図６）の処理の１つとして行われる。以下の説明では、図８に示した画面構成例の場合を例に挙げて説明する。
【０１０１】
ここで、ステップＳ３１により作成されるデータについて説明する。換言すれば、最終的に講演に出席した出席者に、図８に示したような画面を提供できるようにするために、講演者Ａが、講演前に作成しておくデータについて説明する。上述したように、講演者Ａが、講演前に作成しておくデータは、インデックス表示部１２２（図８）に表示されるインデックスと、資料画像表示部１２３に表示される資料画像である。
【０１０２】
図１２は、講演者Ａが作成するデータをイメージ的に示した図である。講演者Ａは、インデックス表示部１２２に表示されるインデックスに関するデータが記憶されるインデックスデータベース１５１と、資料画像表示部１２３に表示される資料画像に関するデータが記憶される資料画像データベース１５２を作成する。
【０１０３】
インデックスデータベース１５１に記憶されているインデックスと、そのインデックスに属し、資料画像データベース１５２に記憶されている資料画像は、それぞれ関連付けられて記憶されている。このような関連付けを管理するためのデータを記憶するためのデータベースも作成されるようにしても良い。
【０１０４】
例えば、インデックスデータベース１５１に記憶されている“インデックス１”には、資料画像データベース１５２に記憶されている“資料画像１−１”と“資料画像１−２”が関連付けられている。また、“資料画像１−１”と“資料画像１−２”には、時間的な前後関係を示すデータも含まれ、“資料画像１−１”が表示された後に、“資料画像１−２”が表示されるように設定されている。
【０１０５】
このようなデータが、講演前に講演者Ａにより作成される。講演者Ａは、このようなデータを作成する際、インデックスデータベース１５１と資料画像データベース１５２を、それぞれ別々に作成し、後の処理で関連付けを行っても良い。その関連付けの方法は、例えば、作成されたインデックスデータベース１５１内の所定のインデックスに、関連付けたい資料画像のデータをドラッグアンドドロップするなどの簡便な操作で行える方法である。
【０１０６】
このようにして作成されたデータが用いられて、講演者Ａは講演を行う。次に、この講演時の処理について説明する。すなわち、ステップＳ３２（図６）における処理として、図２に示したシステムで行われる処理について説明する。図１３は、図２に示したシステム、主に、作成装置４の動作を説明するためのフローチャートである。
【０１０７】
ステップＳ５１において、講演者Ａによる講演が開始される前の時点で、作成装置４が起動される。作成装置４が起動されると、記憶部４８（図５）に記憶されているプログラムが、ＲＡＭ４３に展開され、その展開されたプログラムに基づきＣＰＵ４１が処理を開始する。なお、作成装置４を、以下に説明するような処理を実行する専用の装置として製造した場合、ＲＯＭ４２にプログラムを書き込んでおき、そのプログラムに従って処理が行われるようにしても良い。このようなことは、適宜、変更可能な事項である。
【０１０８】
作成装置４が起動される前または後の時点で、講演者Ａは、制御装置３の記憶部１３（図３）と制御装置４の記憶部４８に、それぞれ、図１２に示したインデックスデータベース１５１と資料画像データベース１５２を記憶させる。
【０１０９】
制御装置３は、上述したように、プロジェクタ２に対して画像データを供給するため、少なくとも、資料画像データベース１５２を記憶している必要があるが、インデックスデータベース１５１は、必要がなければ記憶させないようにしても良い。
【０１１０】
また、講演者Ａは、制御装置３と作成装置４に対して、それぞれ別々にデータベースを記憶させる、換言すれば、同じような処理を２度行うようにしても良いが、講演者Ａの手間を考え、どちらか一方の装置、例えば、制御装置３にだけ記憶させるようにしても良い。そして、そのデータが記憶された制御装置３から、作成装置４が、そのデータを取得し、記憶するようにしても良い。
【０１１１】
どのような方法でも良いが、制御装置３には、少なくとも資料画像データベース１５２が記憶され、作成装置４には、インデックスデータベース１５１と資料画像データベース１５２が記憶される。そのような記憶が行われる前の時点、または、後の時点で、作成装置４において起動されたプログラムについて説明する。図１４は、ＲＡＭ４３に展開されたプログラムの機能を説明するための機能ブロック図である。
【０１１２】
なお、ここでは、図１４に示したような機能を有するプログラムが展開され、その展開されたプログラムに基づいて、ＣＰＵ４１が処理を行うとして説明するが、それらの機能を有するハードウェアで構成されるようにしても良い。すなわち、以下に説明するような機能を実現できるソフトウェアまたはハードウェアであれば良く、さらには、それらの協同で実現されるようにしても良い。
【０１１３】
信号入力部１７１は、通信部４９を介して入力される制御装置３からの信号の入力を制御し、その入力した信号の解析などの処理を行う。信号入力部１７１が処理する信号は、制御装置３の操作部１２（図４）が操作されたか否かを示す信号であり、その信号には、ボタン２１乃至２３のうちのどのボタンが操作されたかを示す情報も含まれている。
【０１１４】
信号入力部１７１は、入力された信号を解析した結果を、必要に応じ、サムネイル画像生成部１７３と時刻管理部１７４に出力する。サムネイル画像生成部１７３は、映像入力部１７２からの映像データも入力されるが、その入力される映像データから、サムネイル画像を生成する。映像入力部１７２には、撮影装置５（図２）により撮影された映像の映像データが供給される。
【０１１５】
撮影装置５が、作成装置４の入力部４６（図５）と接続されている場合、映像入力部１７２には、入力部４６から映像データが供給され、撮影装置５が、作成装置４の通信部４９（図５）と接続されている場合、映像入力部１７２には、通信部４９から映像データが供給される。
【０１１６】
時刻管理部１７４は、時刻を管理するために設けられている。時刻管理部１７４が管理する時刻は、日常で用いられている日時に関するものでも良いし、講演が開始された時点からカウントが開始される時刻でも良い。すなわち、本実施の形態における時刻管理部１７４は、後述する関連付けのためのデータを生成できる機能を有していれば良く、ここでは、そのデータは、時刻情報であるとして説明する。
【０１１７】
データベース管理部１７５は、記憶部４８に記憶されているインデックスデータベース１５１と資料画像データベース１５２を管理するための設けられている。映像入力部１７２、サムネイル画像生成部１７３、時刻管理部１７４、およびデータベース管理部１７５からは、必要に応じデータが出力され、関連付け部１７６に供給される。
【０１１８】
データベース管理部１７５と関連付け部１７６には、信号入力部１７１から出力された画像データが、必要に応じ供給される。
【０１１９】
関連付け部１７６は、供給されたデータをそれぞれ関連付けるといった処理を行い、記憶部１７７に出力する。記憶部１７７は、所定のデータ量が記憶された段階で、記録制御部１７８に記憶しているデータを出力する。そして、記憶制御部１７８は、記憶部１７７からのデータを、ドライブ５０にセットされている所定の記録媒体に記録させるための制御を行う。
【０１２０】
このような機能を有する作成装置４は、ステップＳ５２（図１３）において、撮影装置５による撮影を開始させ、撮影された映像の映像データを取得する。撮影装置５による撮影の開始は、撮影装置５に対してユーザが直接的にスイッチを操作するなどして行われても良いし、制御装置３または作成装置４から撮影装置５に対して指示が出されることにより行われても良い。
【０１２１】
通常、講演は、マイクロフォンなどの拡声装置が用いられるが、そのマイクロフォンのスイッチが入れらときや、“始めます”といった所定の言葉が発せられたことを感知したときなどをトリガーとして、撮影装置４による撮影が開始されるようにしても良い。
【０１２２】
いずれにせよ、撮影装置５により撮影が開始されると、撮影された映像の映像データは、作成装置４に供給される。作成装置４の映像入力部１７２に供給された映像データは、所定の方式、例えば、ＭＰＥＧ（Ｍｏｖｉｎｇ  Ｐｉｃｔｕｒｅ  Ｅｘｐｅｒｔｓ  Ｇｒｏｕｐ）方式や、Ｆｌａｓｈ（商標）というフォーマット方式のデータのファイルになるようなエンコードが施され、関連付け部１７６に供給される。関連付け部１７６は、供給された映像データに関連付けるデータがない場合、記憶部１７７に映像データを供給し、記憶させる。
【０１２３】
このようにして撮影装置５により撮影された映像の映像データは、記憶部１７７に記憶される。
【０１２４】
このような映像データの記憶が開始されると、ステップＳ５３において、操作部１２（図３）が操作されたか否かが判断される。この判断は、信号入力部１７１が、制御装置３からの信号を入力したか否かを判断することにより行われる。よって、制御装置３の制御部１１（図３）は、操作部１２が操作されると、その信号を出力部１４から作成装置４に対して出力させる。
【０１２５】
その出力される信号には、操作部１２のボタン２１乃至２３の内の操作されたボタンを示す情報が含まれる信号である。そのような信号が入力されると、信号入力部１７１（図１４）は、ステップＳ５３において制御装置３の操作部１２が操作されたと判断し、ステップＳ５４に処理が進められる。ステップＳ５４における処理について説明する前に、操作部１２が操作される状況について説明する。そのために、制御装置３の操作部１２が操作されたときに、制御装置３において行われる処理について、図１５のフローチャートを参照して説明する。
【０１２６】
ステップＳ７１において、制御部１１は、操作部１２が操作されたか否かを判断する。制御装置３の制御部１１は、操作部１２が操作されたか否かを常に監視している。操作部１２が操作されるのは、講演者Ａが、その時点でスクリーン１に表示されている資料画像を、前の資料画像または次の資料画像に切り換えることを所望したとき、または、その時点でスクリーン１に表示されている資料画像をキャプチャーしたいときである。
【０１２７】
制御装置３の記憶部１３（図３）には資料画像データベース１５２（図１２）が記憶されているが、その資料画像データベース１５２に記憶されている各資料画像には、表示順序が設定されている。すなわち、例えば“資料画像１−１”の後には、“資料画像１−２”が表示されるように設定されている。
【０１２８】
例えば、図１２を再度参照するに、“資料画像２−１”がスクリーン１に表示されている状態のときに、操作部１２の前ボタン２１が操作された場合、“資料画像１−２”にスクリーン１の表示が切り換えられる。また、“資料画像２−１”がスクリーン１に表示されている状態のときに、操作部１２の次ボタン２３が操作された場合、“資料画像３−１”にスクリーン１の表示が切り換えられる。さらに、“資料画像２−１”がスクリーン１に表示されている状態のときに、操作部１２のキャプチャーボタン２２が操作された場合、“資料画像２−１”がキャプチャーされる。
【０１２９】
ここで、キャプチャーについて説明を加える。ここでの“キャプチャー”の意味は、キャプチャーボタン２２が操作された時点で、スクリーン１に表示されている画像データを取得し、作成装置４に供給することを意味する。例えば、講演者Ａは、予めデータとして作成してあった“資料２−１”の画像がスクリーン１上に表示されている状態のときに、その画像に対して何か書き込むといった動作を行うことがある。
【０１３０】
そのような書き込みがされた画像を“資料２−１”として新たに、資料画像データベース１５２に加えたい（後述するように、資料画像データベース１５２に新たに加えるということは、結果的には、サムネイル表示１２４（図８）に表示させるサムネイル画像を追加したことになる）ときに、講演者Ａは、キャプチャーボタン２２を操作する。
【０１３１】
また、例えば、講演者Ａは、講演中に、資料画像データベース１５２に記憶されていない資料画像を、参照したいときもある。そのように、資料データベース１５２には予め記憶されていなかったような画像を、資料データベース１５２に追加したときなどにも、キャプチャーボタン２２が操作される。
【０１３２】
いずれにしても、キャプチャーボタン２２は、その時点でスクリーン１に表示されている画像を、資料画像データベース１５２に追加したいとき、そして、結果的に、サムネイル画像表示部１２４に表示されるサムネイル画像を追加したいときに操作される。
【０１３３】
また、上述したように、サムネイル画像表示部１２４に表示されるサムネイル画像は、所望の場面の検索などに用いられるため、講演者Ａが、意図的に、そのような検索用に用いられるサムネイル画像を生成させたいときなどにも、キャプチャーボタン２２が操作されることもある。
【０１３４】
キャプチャーボタン２２を設けることにより、講演者Ａが、講演中に、意図的に、所望の画面にジャンプするための情報（この場合、サムネイル画像）を生成させることができる。換言すれば、講演者Ａが、講演中に、最終的に記録媒体９１に記録されるデータの編集（加工）を行うことができる。
【０１３５】
図１５のフローチャートの説明に戻り、ステップＳ７１において、操作部１２が操作されたと判断された場合、ステップＳ７２に進み、操作されたのはキャプチャーボタン２２であるか否かが判断される。ステップＳ７２において、キャプチャーボタン２２が操作されたのではないと判断された場合、換言すれば、前ボタン２１または次ボタン２３が操作されたと判断された場合、ステップＳ７３に処理が進められる。
【０１３６】
前ボタン２１または次ボタン２３が操作されるのは、上述したように、その時点で、スクリーン１上に表示されている資料画像を他の資料画像に切り換えるとき指示されたときである。制御部１１は、前ボタン２１が操作されたと判断したときには、その時点でスクリーン１上に表示されている資料画像より、時間的に前に表示されるとして設定されている資料画像の画像データを、記憶部１３に記憶されている資料画像データベース１５２から読み出す。
【０１３７】
あるいは、制御部１１は、次ボタン２３が操作されたと判断したときには、その時点でスクリーン１上に表示されている資料画像より、時間的に後（次）に表示されるとして設定されている資料画像の画像データを、記憶部１３に記憶されている資料画像データベース１５２から読み出す。
【０１３８】
このようにして読み出された画像データは、ステップＳ７４の処理として、出力部１４から、プロジェクタ２に対して出力される。画像データが出力される一方で、出力部１４からは、作成装置４に対して、前ボタン２１が操作されたことを示す信号、または、次ボタン２３が操作されたことを示す信号が出力される。
【０１３９】
このようにして出力された信号を、作成装置４は、ステップＳ５３の処理として入力し、処理する。
【０１４０】
一方、ステップＳ７２において、操作されたのはキャプチャーボタン２２であると判断された場合、ステップＳ７５に処理が進められる。キャプチャーボタン２２が操作されるのは、その時点でスクリーン１上に表示されている画像をキャプチャーしたいときに操作されるので、ステップＳ７５の処理として、画像データの取得が行われる。
【０１４１】
取得される画像データは、例えば、記憶部１３から読み出されることにより取得される。
【０１４２】
取得された画像データは、ステップＳ７６の処理として作成装置４に対して出力される。このようにして出力された信号を、作成装置４は、ステップＳ５３の処理として入力し、処理する。
【０１４３】
このようにして、制御装置３は、操作部１２が操作されたときには、その操作されたボタンに応じた処理を実行する。
【０１４４】
制御装置３からの信号は、作成装置４に供給されるわけだが、ステップＳ５３（図１３）において、そのような信号が入力されたと、作成装置４側で判断されると、ステップＳ５４に処理が進められ、サムネイル画像生成部１７３（図１４）によりサムネイル画像の生成が行われる。
【０１４５】
信号入力部１７１は、信号を入力すると、その信号を解析し、その結果、制御装置３の操作部１２が操作されたことを示す信号であると判断すると、サムネイル画像生成部１７３に信号を出す。ここでは、上述したように、信号入力部１７１が入力する信号としては、前ボタン２１または次ボタン２３が操作されたときには、どちらのボタンが操作されたのかを示す情報を少なくとも含む信号であり、キャプチャーボタン２２が操作されたときには、画像データを少なくとも含む信号である。
【０１４６】
よって、そのような情報（データ）を含む信号であれば、操作部１２が操作されたことにより出力された信号であると判断することができる。
【０１４７】
前ボタン２１または次ボタン２３が操作されたことを示す信号が入力された場合、サムネイル画像生成部１７３は、ステップＳ５４の処理として、映像入力部１７２から供給されている映像データからサムネイル画像を生成する。すなわち、この場合、操作部１２が操作された時点（正確には、その時点より少しの時間が経過した時点、換言すれば、スクリーン１上の画像が切り換えられた後の時点）で、撮影装置５により撮影されている映像の場面が、サムネイル画像にされる。その生成されたサムネイル画像の画像データは、関連付け部１７６に出力される。
【０１４８】
キャプチャーボタン２２が操作されたことを示す信号が入力された場合も、同様に、サムネイル画像生成部１７３により、映像入力部１７２からの映像データからサムネイル画像が生成され、関連付け部１７６に出力されるが、さらに、信号入力部１７１に入力された制御装置３からの画像データも、関連付け部１７６に出力される。
【０１４９】
信号入力部１７１に、操作部１２が操作されたことを示す信号が入力された場合、ステップＳ５５の処理として、時刻管理部１７４から時刻に関する時刻情報が生成され、関連付け部１７６に出力される。この時刻情報は、上述したように、映像、サムネイル画像、および、資料画像を関連付けるための情報として用いられる。
【０１５０】
ステップＳ５６において、そのような関連付けの処理が実行される。関連付けの処理が行われることにより、撮影された映像のどの時点から切り出されたサムネイル画像であるか、そして、そのサムネイル画像が生成されるトリガーとなった資料画像（切り換え先の資料画像）は、どの資料画像であるかを、一意に決定できる関係が形成される。
【０１５１】
換言するならば、撮影が開始されてから何分経過したときに生成されたサムネイル画像であるかが、時刻情報と関連付けられることにより、映像と関連付けられ、そのサムネイル画像が生成されるときに、スクリーン１上に表示されている資料画像が、サムネイル画像と映像を関連付けた同一の時刻情報と関連付けられることにより、映像と関連付けられる。よって、映像、サムネイル画像、および、資料画像が、時刻情報により関連付けられたことになる。
【０１５２】
なお、図１２を参照して説明したように、資料画像とインデックスは、関連付けられているため、上述した関連付けの処理が行われることにより、インデックスも、映像と関連付けられたことになる。
【０１５３】
このようにして、インデックス、資料画像、サムネイル画像、および、映像が、それぞれ関連付けらる。このような関連付けの処理が終了されると、そのデータは、記憶部１７７に供給され、記憶される。
【０１５４】
ステップＳ５７において、講演は終了されたか否かが判断される。講演が終了されれば、それ以降に撮影する映像もなく、また、サムネイル画像が生成される必要もないため、このような判断を行う処理が設けられている。ステップＳ５７において、講演は終了されていないと判断された場合、ステップＳ５３に戻り、それ以降の処理が繰り返され、講演は終了したと判断された場合、ステップＳ５８に処理が進められる。
【０１５５】
講演が終了したか否かの判断は、講演が終了した時点で、作成装置４に対してユーザが指示を出し、そのことを検出することで行われるようにしても良いし、例えば、マイクロフォンの電源がオフにされたことを検出するようにし、マイクロフォンの電源がオフにされたと検出されたら講演が終了されたと判断されるように設定しておいても良い。
【０１５６】
いずれにせよ、ステップＳ５７において、講演は終了されたと判断され、ステップＳ５８に処理が進められると、所定の記録媒体へのデータの記録が行われる。ステップＳ５８における記録の処理は、記録部１７７（図１４）に記憶されているデータが、記録制御部１７８に供給され、記録制御部１７８がドライブ５０を制御することにより行われる。
【０１５７】
このようにして、所定の記録媒体、この場合、記録媒体９１（図７）へのデータの記録が行われる。このようにして、最終的に記録媒体９１へ記録が行われるので、例えば、記録部１７７は、記録媒体９１の容量より少し余裕がある程度の容量が確保されていればよい。また、ステップＳ５７における処理として、講演が終了されたか否かが判断されるのではなく、記録媒体９１の容量を超えたか否かが判断されるようにしても良い。
【０１５８】
これは、必ずしも１枚の記録媒体９１に講演内容全てを記録できるとは限らず、場合によっては、複数枚の記録媒体９１を必要とする場合があるからである。また、ここでは、１枚の記録媒体９１に記録できるデータが蓄積された時点で、記録媒体９１に記録を行うようにしているため、換言すれば、記録媒体９１への記録を逐次行っているのではないので、記憶部１７７に記憶されているデータが所定の容量だけ蓄積された時点で、記録媒体９１への記録が開始されればよい。
【０１５９】
そこで、ステップＳ５７の処理として、記憶部１７７に記録媒体９１の容量以上のデータ量が蓄積されたか否かを判断し、蓄積されていると判断された時点で、ステップＳ５８における記録が開始されるようにしても良い。
【０１６０】
なお、このようにした場合、講演が行われている間は、記録媒体９１への記録が行われているときでも、ステップＳ５３に処理が戻され、それ以降の処理が繰り返される必要はある。また、複数枚の記録媒体９１に講演内容が記録されるようなときには、それぞれの記録媒体９１が、単独で再生できるような処理が、記録媒体９１毎に行なわれ、かつ、それぞれの記録媒体９１に、それぞれの記録媒体９１の関係に関する情報が記録されるなどの処理が行われる必要はある。
【０１６１】
このような処理が、作成装置４により行われることにより、最終的に記録媒体９１に記録されるデータについて説明する。図１６は、図１３に示したようなフローチャートの処理が実行されることにより作成されたデータ、すなわち、記録媒体９１に記録されるデータをイメージ的に図示した図である。
【０１６２】
図１６にイメージ的に図示した図は、講演の途中で作成されるデータを示している。撮影されている映像の所定の時点で、スクリーン１上に表示されている資料画像が“資料画像２−１”に切り換えられると、サムネイル画像２−１が生成される。図１６に示したように、映像の所定の時点、すなわち時刻情報で示される時点で、サムネイル画像２−１、資料画像２−１、および、インデックス２が、それぞれ関連付けられたことになる。
【０１６３】
このような関連状態があるデータが再生されると、図１０に示したような画面がディスプレイ上に表示されることになる。すなわち、サムネイル画像２−１がサムネイル表示部１２４の一番左側に表示され、“資料画像２−１”に対応する画像が、資料画像表示部１２３に表示され、さらに、インデックス表示部１２２の“インデックス２”の位置に矢印が位置するような画面が表示される。
【０１６４】
図１６を再度参照するに、サムネイル画像２−１、資料画像２−１、および、インデックス２の関連付けが行われた後の時点で、時刻情報により、サムネイル画像３−１、資料画像３−１、および、インデックス３が、それぞれ関連付けられる。さらにその後の時点で、同じく、サムネイル画像３−２、資料画像３−１、および、インデックス３が、それぞれ関連付けられる。
【０１６５】
このように、映像の所定の時点、サムネイル画像、資料画像、および、インデックスが関連付けられたデータが作成装置４により作成され、記録媒体９１に記録される。
【０１６６】
そして、このような関連づけを有するデータが再生されることにより、既に説明したように、それらのデータによる映像や画像が連動する画面が、視聴者側に提供されることが可能となる。
【０１６７】
なお、記録媒体９１にデータが記録される際、そのデータには、図１６などに示したように、インデックスのデータ、資料画像のデータ、映像のデータ、サムネイル画像のデータなどが含まれるが、それらのデータと、それらのデータを管理する（それらのデータを用いて、ユーザに提供する画面を構成し制御する）ためのプログラムを、１つのファイル（データ）形式にしても良い。
【０１６８】
または、複数のファイル（データ）形式であっても良いが、その内の１つだけが実行ファイルであり、その他のファイルは、実質的にユーザ側では実行できない（実行ファイルのみがその他のファイルを用いることができる）ようなファイル形式にしても良い。
【０１６９】
記録媒体９１に記録されるデータを、そのような形式とすることにより、例えば、１つのファイルまたは実行ファイルを暗号化した状態で配布すれば、その暗号を解くための情報を有しているユーザしか、その記録媒体９１に記録されているデータによりサービスを受けることができないようにすることが可能となる。また、暗号化する際、１つのファイルのみを暗号化すれば良いようにしておけば、比較的少ない時間で、暗号化が行える。
【０１７０】
さらに、１つのファイルにする、または、実行ファイル以外のファイルはユーザ側では開けないようにしておくことにより、例えば、映像データのみを取り出すといったようなことができないことになり、盗用など好ましくない状況が発生することを防ぐことが可能となる。
【０１７１】
このようなことは、記録媒体９１を有償で配布する場合などに、特に必要となる。
【０１７２】
このように、本実施の形態においては、講演が行われているときに編集などの処理が行われ、講演が終了した数分後には記録媒体９１へのデータの記録が終了しているため、講演に出席していた人たちに、講演直後に、その講演内容が記録された記録媒体９１を配布することが可能となる。
【０１７３】
なお、講演直後に記録媒体９１を配布する場合、マスターとなる記録媒体９１を上述したような処理により作成し、その後、そのマスターとなる記録媒体９１から、コピーを作成することにより、必要枚数の記録媒体９１を用意することができる。そのマスターとなる記録媒体９１にデータを記録する際、また、コピーの際、データ構造がスリムなため、比較的短時間で作成することが可能である。
【０１７４】
なお、上述した実施の形態においては、インデックスと資料画像が関連付けられているとして説明したが、インデックスは、必ずしも必要とされない場合には、設ける必要はない。インデックスを必要とせず、設けられなかった場合、資料画像は、インデックスとのかかわりを持たないため、講演者Ａは、予めインデックスと資料画像を関連付けておくなどの処理を行わなくても良く、予め作成装置４で記憶させておく必要もなくなる。
【０１７５】
すなわち、講演者Ａは、講演時に用いる資料画像のみを予め作成しておけば良く、そのようなことは、通常の講演時の前処理として行われていることであり、本システムを講演時に用いるとしても、前処理の段階では、講演者Ａに何ら負担をかけることがない（例えば、新たなソフトウェアを導入させるなど）。
【０１７６】
また、作成装置４は、サムネイル画像を生成する際、撮影装置５からの映像データからサムネイル画像を生成するとともに、制御装置３から、スクリーン１に表示されている画像の画像データを取得し、その画像データを資料画像として設定すれば良い。このような処理は、上述した実施の形態における、キャプチャーボタン２２が操作されたときの処理と、基本的に同様に行われればよい。
【０１７７】
上述した実施の形態においては、講演という状況を例に挙げて説明したが、本発明は、講演に限らず、さまざまな状況に対して適用することができる。以下に、他の状況における適用例を示す。
【０１７８】
本発明をコンサートという状況に適用した場合を考える。コンサートの場合、例えば、記録媒体９１に記録されているデータを再生し、図８に示すような画面構成の画面がユーザに提供されるとき、まず動画像表示部１２１には、コンサート会場で撮影された映像が表示される。インデックス表示部１２２には、コンサートで演奏された曲目が、演奏順に表示される。もちろん、上述した場合と同様に、各曲目は、対応する曲の演奏が開始される場面の映像にジャンプするための項目として設けられている。
【０１７９】
資料画像表示部１２３には、演奏されている曲の歌詞が表示される、または、その曲が納められているアルバムのジャケットの絵やその他の情報などが表示される。そして、サムネイル画像表示部１２４には、動画像表示部１２１から取得されたサムネイル画像が表示され、所望の曲の演奏が開始される場面の映像にジャンプするための項目として設けられる。
【０１８０】
そして、このような画面構成の画面を提供するためのデータは、上述したように作成される。すなわち、コンサート中に作成される。そして、コンサート終了後、マスターとなる記録媒体９１の作成、そして、配布するためのコピー品としての記録媒体９１の作成が行われ、配布（販売）される。
【０１８１】
このようなサービスは、コンサートを見に来た客側からすると、まず、自分が見たコンサートの映像を購入できるという喜びがある。そして、コンサートが行われた日より後の時点で購入するよりも、当日というコンサートの興奮が冷めない状態で購入できるという喜びもある。以上の点から、販売側（コンサートを開催した側）としては、売り上げの向上を期待することがきる。
【０１８２】
さらに、記録媒体９１の販売は、コンサート当日限りすることにより、限定販売品という価値が付加することにより、さらに売り上げの向上を期待することができる。また、そのようにすることで、コンサートに来場した人数以下の枚数だけ記録媒体９１を作成すれば良く、換言すれば、必要に応じて、その場で必要な枚数だけ記録媒体９１を作成することが可能なので、在庫が余るなどの心配がなく、無駄な在庫を抱える心配もないため、本発明を適用した図２に示したシステム（装置）は、コンサートを開催する側の人に受け入れられやすいと考えられる。
【０１８３】
なお、コンサートのときはもちろん、講演のときも、記録媒体９１に貼付するシールや、記録媒体９１を包装するパッケージなどを、予め作成しておく必要があるし、そのようなものを予め用意した状態で販売することにより、そのようなものがない状態で販売するよりも、売り上げを向上させることができる。
【０１８４】
別の状況として、学校などにおける講義などに対して本発明を適用することが可能である。広く言えば、教材に対して本発明を適用することも可能である。また、講義などは、講義者が講義している状況を記録媒体９１に記録し、その記録媒体９１を広く不特定多数の人に販売するようにしても良い。
【０１８５】
そのような講義の場合、講義者だけで、記録媒体９１に記録させるデータを作成することができる。すなわち、インデックスや資料画像を自分で作成し、その後、自分に対して撮影装置５を向け撮影を行うようにすれば、基本的に、上述したような講演やコンサートのときと同じなので、上述したようなデータを作成することができ、上述したようなデータが記録された記録媒体９１を作成することができる。
【０１８６】
よって、個人ユーザに対しても、本発明を適用したシステムや装置を販売することが可能であるし、個人ユーザが購入する可能性もあるため、このようなシステム（装置）を販売する会社が、利益を得られるという利点もある。
【０１８７】
上述した一連の処理は、ハードウェアにより実行させることもできるが、ソフトウェアにより実行させることもできる。一連の処理をソフトウェアにより実行させる場合には、そのソフトウェアを構成するプログラムが専用のハードウェアに組み込まれているコンピュータ、または、各種のプログラムをインストールすることで、各種の機能を実行することが可能な、例えば汎用のパーソナルコンピュータなどに、記録媒体からインストールされる。
【０１８８】
記録媒体は、図５に示すように、パーソナルコンピュータとは別に、ユーザにプログラムを提供するために配布される、プログラムが記録されている磁気ディスク６１（フレキシブルディスクを含む）、光ディスク６２（ＣＤ−ＲＯＭ（Ｃｏｍｐａｃｔ  Ｄｉｓｃ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｃ）を含む）、光磁気ディスク６３（ＭＤ（Ｍｉｎｉ−Ｄｉｓｃ）（登録商標）を含む）、若しくは半導体メモリ６４などよりなるパッケージメディアにより構成されるだけでなく、コンピュータに予め組み込まれた状態でユーザに提供される、プログラムが記憶されているＲＯＭ４２や記憶部４８が含まれるハードディスクなどで構成される。
【０１８９】
なお、本明細書において、媒体により提供されるプログラムを記述するステップは、記載された順序に従って、時系列的に行われる処理は勿論、必ずしも時系列的に処理されなくとも、並列的あるいは個別に実行される処理をも含むものである。
【０１９０】
また、本明細書において、システムとは、複数の装置により構成される装置全体を表すものである。
【０１９１】
【発明の効果】
本発明によれば、映像や画像が連動した画面を作成し、ユーザ側に提供することが可能となる。
【０１９２】
本発明によれば、映像や画像が連動した画面のデータを作成する場合、映像が撮影されているときに、そのデータが作成される。よって、映像の撮影が終了された時点で、そのようなデータの作成も終了される。
【０１９３】
本発明によれば、映像の所望の場面からの再生や、閲覧したい画像を検索する場合、その検索のために情報が、複数あるため、その検索をユーザは、容易に、簡便に行うことが可能となる。
【図面の簡単な説明】
【図１】従来の映像の加工について説明する一例のフローチャートである。
【図２】本発明を適用したシステムの一実施の形態の構成を示す図である。
【図３】制御装置の内部構成例を示す図である。
【図４】操作部の構成例を示す図である。
【図５】作成装置の内部構成例を示す図である。
【図６】記録媒体に記録させるデータの作成から配布までの一例の処理について説明するためのフローチャートである。
【図７】パーソナルコンピュータの内部構成例を示す図である。
【図８】ディスプレイ上に表示される画面の構成例を示す図である。
【図９】ディスプレイ上に表示される画面の表示例を示す図である。
【図１０】ディスプレイ上に表示される画面の表示例を示す図である。
【図１１】ディスプレイ上に表示される画面の他の構成例を示す図である。
【図１２】作成されるデータベースについて説明するための図である。
【図１３】データの生成について説明するためのフローチャートである。
【図１４】データの生成に係わる機能について説明するための図である。
【図１５】制御装置の動作について説明するためのフローチャートである。
【図１６】データの関連付けについて説明するための図である。
【符号の説明】
１  スクリーン，  ２  プロジェクタ，  ３  制御装置、  ４  撮影装置，  ５  作成装置，  １１  制御部，  １２  操作部，  １３  記憶部，  １４  出力部，  １２１  動画像表示部，  １２２  インデックス表示部，  １２３  資料画像表示部，  １２４  サムネイル画像表示部，  １２５  スクロールバー，１７１  信号入力部，  １７２  映像入力部，  １７３  サムネイル画像生成部，  １７４  時刻管理部，  １７５  データベース管理部，  １７６  関連付け部，  １７７  記憶部，  １７８  記録制御部
【図１】
2004343154.tif 000003
【図２】
2004343154.tif 000004
【図３】
2004343154.tif 000005
【図４】
2004343154.tif 000006
【図５】
2004343154.tif 000007
【図６】
2004343154.tif 000008
【図７】
2004343154.tif 000009
【図８】
2004343154.tif 000010
【図９】
2004343154.tif 000011
【図１０】
2004343154.tif 000012
【図１１】
2004343154.tif 000013
【図１２】
2004343154.tif 000014
【図１３】
2004343154.tif 000015
【図１４】
2004343154.tif 000016
【図１５】
2004343154.tif 000017
【図１６】
2004343154.tif 000018